【手続補正書】
【提出日】平成15年7月15日(2003.7.15)
【手続補正１】
【補正対象書類名】明細書
【補正対象項目名】特許請求の範囲
【補正方法】変更
【補正の内容】
【特許請求の範囲】
【請求項１】
一般式  化１
【化１】
1997323977.tif 000001
〔式中、Ｒ１  はＣ１−Ｃ３ハロアルキル基を表し、Ｒ２  およびＲ３  は同一または相異なり、水素原子、Ｃ１−Ｃ３アルキル基、Ｃ１−Ｃ３ハロアルキル基またはＣ１−Ｃ３アルコキシＣ１−Ｃ３アルキル基を表わし、Ｑは一般式  化２
【化２】
1997323977.tif 000002
｛式中、Ｘは水素原子又はハロゲン原子を表し、
Ｙはハロゲン原子、ニトロ基、シアノ基またはトリフルオロメチル基を表し、
Ｚ１  は酸素原子、硫黄原子またはＮＨ基を表し、
Ｚ２  は酸素原子または硫黄原子を表し、
ｎは０又は１を表し、
Ｂは水素原子、ハロゲン原子、ニトロ基、シアノ基、クロロスルホニル基、−ＯＲ１０基、−ＳＲ１０基、−ＳＯ２  ＯＲ１０基、−Ｎ（Ｒ１１）Ｒ１２基、−ＳＯ２  Ｎ（Ｒ１１）Ｒ１２基、−ＮＲ１１（ＣＯＲ１３）基、−ＮＲ１１（ＳＯ２  Ｒ１４）基、−Ｎ（ＳＯ２  Ｒ１４）（ＳＯ２  Ｒ１５）基、−Ｎ（ＳＯ２  Ｒ１４）（ＣＯＲ１３）基、−ＮＨＣＯＯＲ１３基、−ＣＯＯＲ１０基、−ＣＯＮ（Ｒ１１）Ｒ１２基、−ＣＳＮ（Ｒ１１）Ｒ１２基、−ＣＯＲ１６基、−ＣＲ１７＝ＣＲ１８ＣＯＲ１６基、−ＣＲ１７＝ＣＲ１８ＣＯＯＲ１３基、ＣＲ１７＝ＣＲ１８ＣＯＮ（Ｒ１１）Ｒ１２基、−ＣＨ２  ＣＨＷＣＯＯＲ１３基、−ＣＨ２  ＣＨＷＣＯＮ（Ｒ１１）Ｒ１２基、−ＣＲ１７＝ＮＯＲ３３基、−ＣＲ１７＝ＮＮ（Ｒ１１）Ｒ１２基、−ＣＲ１７（Ｚ２  Ｒ３４）２  基、−ＯＣＯ２  Ｒ１９基、または−ＯＣＯＲ１８基を表し、
（ここで、Ｗは水素原子、塩素原子または臭素原子を表し、
Ｒ１０は水素原子、Ｃ１−Ｃ６アルキル基、Ｃ１−Ｃ６ハロアルキル基、Ｃ３−Ｃ８シクロアルキル基、ベンジル基、Ｃ３−Ｃ６アルケニル基、Ｃ３−Ｃ６ハロアルケニル基、Ｃ３−Ｃ６アルキニル基、Ｃ３−Ｃ６ハロアルキニル基、シアノＣ１−Ｃ６アルキル基、Ｃ２−Ｃ８アルコキシアルキル基、Ｃ２−Ｃ８アルキルチオアルキル基、カルボキシＣ１−Ｃ６アルキル基、（Ｃ１−Ｃ８アルコキシ）カルボニルＣ１−Ｃ６アルキル基、（Ｃ１−Ｃ６ハロアルコキシ）カルボニルＣ１−Ｃ６アルキル基、｛（Ｃ１−Ｃ４アルコキシ）Ｃ１−Ｃ４アルコキシ｝カルボニルＣ１−Ｃ６アルキル基、（Ｃ３−Ｃ８シクロアルコキシ）カルボニルＣ１−Ｃ６アルキル基、（Ｃ１−Ｃ６アルキル）カルボニルＣ１−Ｃ６アルキル基、（Ｃ１−Ｃ６ハロアルキル）カルボニルＣ１−Ｃ６アルキル基、｛（Ｃ１−Ｃ４アルコキシ）Ｃ１−Ｃ４アルキル｝カルボニルＣ１−Ｃ６アルキル基、（Ｃ３−Ｃ８シクロアルキル）カルボニルＣ１−Ｃ６アルキル基、−ＣＨ２  ＣＯＮ（Ｒ１１）Ｒ１２基、−ＣＨ２  ＣＯＯＮ（Ｒ１１）Ｒ１２基、−ＣＨ（Ｃ１−Ｃ４アルキル）ＣＯＮ（Ｒ１１）Ｒ１２基、−ＣＨ（Ｃ１−Ｃ４アルキル）ＣＯＯＮ（Ｒ１１）Ｒ１２基、｛（Ｃ１−Ｃ６アルコキシ）カルボニルＣ１−Ｃ６アルキル｝オキシカルボニルＣ１−Ｃ６アルキル基、またはヒドロキシＣ１−Ｃ６アルキル基を表し、
Ｒ１１とＲ１２はそれぞれ独立して水素原子、Ｃ１−Ｃ６アルキル基、Ｃ１−Ｃ６ハロアルキル基、Ｃ３−Ｃ６アルケニル基、Ｃ３−Ｃ６アルキニル基、シアノＣ１−Ｃ６アルキル基、Ｃ２−Ｃ８アルコキシアルキル基、Ｃ２−Ｃ８アルキルチオアルキル基、カルボキシＣ１−Ｃ６アルキル基、（Ｃ１−Ｃ６アルコキシ）カルボニルＣ１−Ｃ６アルキル基、（Ｃ３−Ｃ８シクロアルコキシ）カルボニルＣ１−Ｃ６アルキル基または、｛（Ｃ１−Ｃ４アルコキシ）Ｃ１−Ｃ４アルコキシ｝カルボニルＣ１−Ｃ６アルキル基を表すか、あるいは、Ｒ１１とＲ１２とで、テトラメチレン、ペンタメチレンまたはエチレンオキシエチレンを表し、
Ｒ１３は水素原子、Ｃ１−Ｃ６アルキル基、Ｃ１−Ｃ６ハロアルキル基、Ｃ３−Ｃ８シクロアルキル基またはＣ３−Ｃ６アルケニル基を表し、
Ｒ１４とＲ１５はそれぞれ独立してＣ１−Ｃ６アルキル基またはＣ１−Ｃ６ハロアルキル基を表わすか、あるいはメチル基もしくはニトロ基で置換されてもよいフェニル基を表し、
Ｒ１６は水素原子、Ｃ１−Ｃ６アルキル基、Ｃ１−Ｃ６ハロアルキル基、Ｃ２−Ｃ６アルケニル基、Ｃ２−Ｃ６ハロアルケニル基、Ｃ２−Ｃ６アルキニル基、Ｃ２−Ｃ６ハロアルキニル基、Ｃ２−Ｃ８アルコキシアルキル基またはヒドロキシＣ１−Ｃ６アルキル基を表し、
Ｒ１７およびＲ１８はそれぞれ独立して、水素原子またはＣ１−Ｃ６アルキル基を表し、
Ｒ１９はＣ１−Ｃ６アルキル基を表し、
Ｒ３３は水素原子、Ｃ１−Ｃ６アルキル基、Ｃ１−Ｃ６ハロアルキル基、Ｃ３−Ｃ８シクロアルキル基、Ｃ３−Ｃ６アルケニル基、Ｃ３−Ｃ６ハロアルケニル基、Ｃ３−Ｃ６アルキニル基、Ｃ３−Ｃ６ハロアルキニル基、シアノＣ１−Ｃ６アルキル基、または、（Ｃ１−Ｃ６アルコキシ）カルボニルＣ１−Ｃ６アルキル基を表し、
Ｒ３４はＣ１−Ｃ６アルキル基、あるいは、Ｒ３４２つが結合してエチレンまたはトリメチレンを表す。）
Ｒ４  は水素原子またはＣ１−Ｃ３アルキル基を表し、
Ｒ５  は水素原子、Ｃ１−Ｃ６アルキル基、Ｃ１−Ｃ６ハロアルキル基、（Ｃ３−Ｃ８シクロアルキル）アルキル基、Ｃ３−Ｃ６アルケニル基、Ｃ３−Ｃ６ハロアルケニル基、Ｃ３−Ｃ６アルキニル基、Ｃ３−Ｃ６ハロアルキニル基、シアノＣ１−Ｃ６アルキル基、Ｃ２−Ｃ８アルコキシアルキル基、Ｃ３−Ｃ８アルコキシアルコキシアルキル基、カルボキシＣ１−Ｃ６アルキル基、（Ｃ１−Ｃ６アルコキシ）カルボニルＣ１−Ｃ６アルキル基、｛（Ｃ１−Ｃ４アルコキシ）Ｃ１−Ｃ４アルコキシ｝カルボニルＣ１−Ｃ６アルキル基、（Ｃ３−Ｃ８シクロアルコキシ）カルボニルＣ１−Ｃ６アルキル基、−ＣＨ２  ＣＯＮ（Ｒ１１）Ｒ１２基、−ＣＨ２  ＣＯＯＮ（Ｒ１１）Ｒ１２基、−ＣＨ（Ｃ１−Ｃ４アルキル）ＣＯＮ（Ｒ１１）Ｒ１２基、−ＣＨ（Ｃ１−Ｃ４アルキル）ＣＯＯＮ（Ｒ１１）Ｒ１２基（ここで、Ｒ１１およびＲ１２は前記と同じ意味を表す。）、Ｃ２−Ｃ８アルキルチオアルキル基、またはヒドロキシＣ１−Ｃ６アルキル基を表し、
Ｒ６  はＣ１−Ｃ６アルキル基、Ｃ１−Ｃ６ハロアルキル基、ホルミル基、シアノ基、カルボキシル基、ヒドロキシＣ１−Ｃ６アルキル基、Ｃ１−Ｃ６アルコキシＣ１−Ｃ６アルキル基、Ｃ１−Ｃ６アルコキシＣ１−Ｃ６アルコキシＣ１−Ｃ６アルキル基、（Ｃ１−Ｃ６アルキル）カルボニルオキシＣ１−Ｃ６アルキル基、（Ｃ１−Ｃ６ハロアルキル）カルボニルオキシＣ１−Ｃ６アルキル基、（Ｃ１−Ｃ６アルコキシ）カルボニル基または（Ｃ１−Ｃ６アルキル）カルボニル基を表し、
Ｒ７  は水素原子またはＣ１−Ｃ６アルキル基を表し、
Ｒ８  はＣ１−Ｃ６アルキル基、Ｃ１−Ｃ６ハロアルキル基、Ｃ１−Ｃ６ヒドロキシアルキル基、Ｃ２−Ｃ８アルコキシアルキル基、Ｃ３−Ｃ１０アルコキシアルコキシアルキル基、（Ｃ１−Ｃ５アルキル）カルボニルオキシＣ１−Ｃ６アルキル基、（Ｃ１−Ｃ６ハロアルキル）カルボニルオキシＣ１−Ｃ６アルキル基、カルボキシル基、カルボキシＣ１−Ｃ６アルキル基、（Ｃ１−Ｃ８アルコキシ）カルボニル基、（Ｃ１−Ｃ６ハロアルコキシ）カルボニル基、（Ｃ３−Ｃ１０シクロアルコキシ）カルボニル基、（Ｃ３−Ｃ８アルケニルオキシ）カルボニル基、（Ｃ３−Ｃ８アルキニルオキシ）カルボニル基、アミノカルボニル基、（Ｃ１−Ｃ６アルキル）アミノカルボニル基、ジ（Ｃ１−Ｃ６アルキル）アミノカルボニル基、（Ｃ１−Ｃ６アルキル）アミノカルボニルオキシＣ１−Ｃ６アルキル基または、ジ（Ｃ１−Ｃ６アルキル）アミノカルボニルオキシＣ１−Ｃ６アルキル基を表す。｝
で示されるＱ−１、Ｑ−２、Ｑ−３、Ｑ−４またはＱ−５を表わす。〕
で示されるピリダジン−３−オン誘導体。
【請求項２】
Ｒ１  がトリフルオロメチル基である請求項１記載のピリダジン−３−オン誘導体。
【請求項３】
Ｒ２  が水素原子またはＣ１−Ｃ３アルキル基であり、Ｒ３  が水素原子またはＣ１−Ｃ３アルキル基である請求項１記載のピリダジン−３−オン誘導体。
【請求項４】
Ｒ１  がトリフルオロメチル基であり、Ｒ２  が水素原子またはＣ１−Ｃ３アルキル基であり、Ｒ３  が水素原子またはＣ１−Ｃ３アルキル基である請求項１記載のピリダジン−３−オン誘導体。
【請求項５】
ＱがＱ−１である請求項１、２、３または４記載のピリダジン−３−オン誘導体。
【請求項６】
ＱがＱ−２である請求項１、２、３または４記載のピリダジン−３−オン誘導体。
【請求項７】
ＱがＱ−３である請求項１、２、３または４記載のピリダジン−３−オン誘導体。
【請求項８】
ＱがＱ−４である請求項１、２、３または４記載のピリダジン−３−オン誘導体。
【請求項９】
ＱがＱ−５である請求項１、２、３または４記載のピリダジン−３−オン誘導体。
【請求項１０】
Ｂが−ＯＲ１０基である請求項５記載のピリダジン−３−オン誘導体。
【請求項１１】
Ｂが−ＳＲ１０基である請求項５記載のピリダジン−３−オン誘導体。
【請求項１２】
Ｂが−Ｎ（Ｒ１１）Ｒ１２基である請求項５記載のピリダジン−３−オン誘導体。
【請求項１３】
Ｂが−ＮＲ１１（ＳＯ２  Ｒ１４）基である請求項５記載のピリダジン−３−オン誘導体。
【請求項１４】
Ｂが−ＣＯＯＲ１０基である請求項５記載のピリダジン−３−オン誘導体。
【請求項１５】
Ｘがフッ素原子であり、Ｙが塩素原子である請求項５記載のピリダジン−３−オン誘導体。
【請求項１６】
Ｘがフッ素原子であり、Ｙが塩素原子であり、ＢがＯＲ１０基である請求項５記載のピリダジン−３−オン誘導体。
【請求項１７】
Ｚ１  が酸素原子であり、ｎが１である請求項６記載のピリダジン−３−オン誘導体。
【請求項１８】
下記群から選ばれるいずれかの化合物。
７−フルオロ−６−（５−トリフルオロメチル−３−ピリダジノン−２−イル）−４−プロパルギル−２Ｈ−１，４−ベンゾオキサジン−３−オン、
７−フルオロ−６−（４−メチル−５−トリフルオロメチル−３−ピリダジノン−２−イル）−４−プロパルギル−２Ｈ−１，４−ベンゾオキサジン−３−オン、
６−（５−トリフルオロメチル−３−ピリダジノン−２−イル）−４−プロパルギル−２Ｈ−１，４−ベンゾオキサジン−３−オン、
６−（４−メチル−５−トリフルオロメチル−３−ピリダジノン−２−イル）−４−プロパルギル−２Ｈ−１，４−ベンゾオキサジン−３−オン、
２−（４−クロロ−２−フルオロ−５−イソプロポキシフェニル）−４−メチル−５−トリフルオロメチルピリダジン−３−オン、
２−（４−クロロ−２−フルオロ−５−メトキシフェニル）−４−メチル−５−トリフルオロメチルピリダジン−３−オン、
２−（４−クロロ−２−フルオロ−５−エトキシフェニル）−４−メチル−５−トリフルオロメチルピリダジン−３−オン、
２−（４−クロロ−２−フルオロ−５−プロパルギルオキシフェニル）−４−メチル−５−トリフルオロメチルピリダジン−３−オン、
２−クロロ−４−フルオロ−５−（４−メチル−５−トリフルオロメチル−３−ピリダジノン−２−イル）フェノキシ酢酸メチル、
２−クロロ−４−フルオロ−５−（４−メチル−５−トリフルオロメチル−３−ピリダジノン−２−イル）フェノキシ酢酸エチル、
２−クロロ−４−フルオロ−５−（４−メチル−５−トリフルオロメチル−３−ピリダジノン−２−イル）フェノキシ酢酸プロピル、
２−クロロ−４−フルオロ−５−（４−メチル−５−トリフルオロメチル−３−ピリダジノン−２−イル）フェノキシ酢酸イソプロピル、
２−クロロ−４−フルオロ−５−（４−メチル−５−トリフルオロメチル−３−ピリダジノン−２−イル）フェノキシ酢酸ブチル、
２−クロロ−４−フルオロ−５−（４−メチル−５−トリフルオロメチル−３−ピリダジノン−２−イル）フェノキシ酢酸ペンチル、
２−クロロ−４−フルオロ−５−（４−メチル−５−トリフルオロメチル−３−ピリダジノン−２−イル）フェノキシ酢酸シクロペンチル、
２−｛２−クロロ−４−フルオロ−５−（４−メチル−５−トリフルオロメチル−３−ピリダジノン−２−イル）フェノキシ｝プロピオン酸エチル、
２−｛２−クロロ−４−フルオロ−５−（４−メチル−５−トリフルオロメチル−３−ピリダジノン−２−イル）フェノキシ｝プロピオン酸メチル、
２−クロロ−４−フルオロ−５−（４−メチル−５−トリフルオロメチル−３−ピリダジノン−２−イル）フェニルチオ酢酸エチル、
２−クロロ−４−フルオロ−５−（４−メチル−５−トリフルオロメチル−３−ピリダジノン−２−イル）フェニルチオ酢酸メチル、
２−｛２−クロロ−４−フルオロ−５−（４−メチル−５−トリフルオロメチル−３−ピリダジノン−２−イル）フェニルチオ｝プロピオン酸エチル、
２−｛２−クロロ−４−フルオロ−５−（４−メチル−５−トリフルオロメチル−３−ピリダジノン−２−イル）フェニルチオ｝プロピオン酸メチル、
２−｛２−クロロ−４−フルオロ−５−（５−トリフルオロメチル−３−ピリダジノン−２−イル）フェノキシ｝プロピオン酸メチル、
２−｛２−クロロ−４−フルオロ−５−（５−トリフルオロメチル−３−ピリダジノン−２−イル）フェノキシ｝プロピオン酸エチル、
２−クロロ−４−フルオロ−５−（５−トリフルオロメチル−３−ピリダジノン−２−イル）フェニルチオ酢酸エチル、
２−クロロ−４−フルオロ−５−（５−トリフルオロメチル−３−ピリダジノン−２−イル）フェニルチオ酢酸メチル、
２−｛２−クロロ−４−フルオロ−５−（５−トリフルオロメチル−３−ピリダジノン−２−イル）フェニルチオ｝プロピオン酸エチル、
２−｛２−クロロ−４−フルオロ−５−（５−トリフルオロメチル−３−ピリダジノン−２−イル）フェニルチオ｝プロピオン酸メチル、
２−｛２−クロロ−４−フルオロ−５−（５−トリフルオロメチル−３−ピリダジノン−２−イル）フェニルチオ｝プロピオン酸イソプロピル、
２−｛２−クロロ−４−フルオロ−５−（４−メチル−５−トリフルオロメチル−３−ピリダジノン−２−イル）フェニルアミノ｝プロピオン酸エチル、
２−｛２−クロロ−４−フルオロ−５−（５−トリフルオロメチル−３−ピリダジノン−２−イル）フェニルアミノ｝プロピオン酸エチル、
Ｎ−｛２−クロロ−４−フルオロ−５−（４−メチル−５−トリフルオロメチル−３−ピリダジノン−２−イル）フェニル｝メタンスルフォンアミド、
Ｎ−｛２−クロロ−４−フルオロ−５−（４−メチル−５−トリフルオロメチル−３−ピリダジノン−２−イル）フェニル｝クロロメタンスルフォンアミド、
Ｎ−｛２−クロロ−５−（４−メチル−５−トリフルオロメチル−３−ピリダジノン−２−イル）フェニル｝メタンスルフォンアミド、
２−クロロ−４−フルオロ−５−（４−メチル−５−トリフルオロメチル−３−ピリダジノン−２−イル）安息香酸メチル、
２−クロロ−４−フルオロ−５−（４−メチル−５−トリフルオロメチル−３−ピリダジノン−２−イル）安息香酸エチル、
２−クロロ−５−（４−メチル−５−トリフルオロメチル−３−ピリダジノン−２−イル）安息香酸エチル、
２−クロロ−５−（４−メチル−５−トリフルオロメチル−３−ピリダジノン−２−イル）安息香酸イソプロピル及び
２−（４−クロロ−２−フルオロ−５−プロパルギルオキシフェニル）−６−メチル−５−トリフルオロメチルピリダジン−３−オン。
【請求項１９】
請求項１〜１８のいずれかに記載のピリダジン−３−オン誘導体を有効成分として含有することを特徴とする除草剤。
【請求項２０】
一般式  化３
【化３】
1997323977.tif 000003
〔式中、Ｒ３  は請求項１に記載の意味を表わし、
Ｑ１  は一般式  化４
【化４】
1997323977.tif 000004
｛式中、Ｘ、Ｙ、Ｚ１  、Ｚ２  、ｎ、Ｒ４  、Ｒ５  、Ｒ７  およびＲ８  は請求項１記載の意味を表わし、
Ｒ９  は請求項１記載のＲ６  のうちホルミル基以外を表わし、
Ｂ１  は水素原子、ハロゲン原子、ニトロ基、シアノ基、ＯＲ２７基、ＳＲ２７基、ＳＯ２  ＯＲ２７基、Ｎ（Ｒ１１）Ｒ１２基、ＳＯ２  Ｎ（Ｒ１１）Ｒ１２基、ＮＲ１１（ＣＯＲ１３）基、ＮＲ１１（ＳＯ２  Ｒ１４）基、Ｎ（ＳＯ２  Ｒ１４）（ＳＯ２  Ｒ１５）基、Ｎ（ＳＯ２  Ｒ１４）（ＣＯＲ１３）基、ＮＨＣＯＯＲ１３基、ＣＯＯＲ２７基、ＣＯＮ（Ｒ１１）Ｒ１２基、ＣＳＮ（Ｒ１１）Ｒ１２基、ＣＲ１７＝ＣＲ１８ＣＯＯＲ１３基、ＣＲ１７＝ＣＲ１８ＣＯＮ（Ｒ１１）Ｒ１２基、ＣＨ２  ＣＨＷＣＯＯＲ１３基、ＣＨ２  ＣＨＷＣＯＮ（Ｒ１１）Ｒ１２基、ＣＲ１７＝ＮＯＲ３３基、ＣＲ１７＝ＮＮ（Ｒ１１）Ｒ１２基、ＣＲ１７（Ｚ２  Ｒ３４）２  基、ＯＣＯ２  Ｒ１９基、またはＯＣＯＲ１９基を表わす。〕
（ここで、Ｗ、Ｚ２  、Ｒ１１、Ｒ１２、Ｒ１３、Ｒ１４、Ｒ１５、Ｒ１７、Ｒ１８、Ｒ１９、Ｒ３３およびＲ３４は請求項１に記載の意味を表わし、Ｒ２７は水素原子、Ｃ１−Ｃ６アルキル基、Ｃ１−Ｃ６ハロアルキル基、Ｃ３−Ｃ８シクロアルキル基、ベンジル基、Ｃ３−Ｃ６アルケニル基、Ｃ３−Ｃ６ハロアルケニル基、Ｃ３−Ｃ６アルキニル基、Ｃ３−Ｃ６ハロアルキニル基、シアノＣ１−Ｃ６アルキル基、Ｃ２−Ｃ８アルコキシアルキル基、Ｃ２−Ｃ８アルキルチオアルキル基、カルボキシＣ１−Ｃ６アルキル基、（Ｃ１−Ｃ８アルコキシ）カルボニルＣ１−Ｃ６アルキル基、（Ｃ１−Ｃ６ハロアルコキシ）カルボニルＣ１−Ｃ６アルキル基、｛（Ｃ１−Ｃ４アルコキシ）Ｃ１−Ｃ４アルコキシ｝カルボニルＣ１−Ｃ６アルキル基、（Ｃ３−Ｃ８シクロアルコキシ）カルボニルＣ１−Ｃ６アルキル基、ＣＨ２  ＣＯＮ（Ｒ１１）Ｒ１２基、ＣＨ２  ＣＯＯＮ（Ｒ１１）Ｒ１２基、ＣＨ（Ｃ１−Ｃ４アルキル）ＣＯＮ（Ｒ１１）Ｒ１２基、ＣＨ（Ｃ１−Ｃ４アルキル）ＣＯＯＮ（Ｒ１１）Ｒ１２基（ここで、Ｒ１１およびＲ１２は前記と同じ意味を表す。）、｛（Ｃ１−Ｃ６アルコキシ）カルボニルＣ１−Ｃ６アルキル｝オキシカルボニルＣ１−Ｃ６アルキル基、またはヒドロキシＣ１−Ｃ６アルキル基を表わす。）｝
で示されるＱ１  −１、Ｑ−２、Ｑ１  −３、Ｑ−４またはＱ−５を表わす。〕
で示されるヒドラゾン類。